(57)【要約】      （修正有）【課題】ミキサー車の生コンクリート運搬中において、外気温度、太陽熱線、ドラム内生コンクリート攪拌用ブレード回転による内部摩擦熱と、ミキサー車のドラム温度上昇によって、ドラム内載積中の生コンクリートの凝固反応が促進されるのを軽減するミキサー車ドラム冷却保温断熱機能付カバーを提供する。【解決手段】紫外線抑止加工繊維（表）と吸水、防水加工繊維（裏）で吸水保温断熱保持性のある高分子ポリマー繊維及び繊維を綿状に加工したものをはさんだ多層構造とする。水分偏り防止のため、幾何模様にキルティングを施し、カバーのずれを防止し、装着を容易にするため、オペロンゴムベルト、ゴムベルトによって固定する。【選択図】図１
0003152102.tif 000002
【実用新案登録請求の範囲】
【請求項１】
ミキサー車ドラム部分に本考案カバーを掛け、カバーずれ防止のロープを結び、設置したところに放水し水を吸収させる。カバーに吸水した水分が太陽熱・外気で蒸発するときに発生する気化熱で夏期はドラム内外の温度を低下させる機能をもつカバー。夏期以外は加水無く使用で保温断熱効果を促進する。
【請求項２】
吸水保温断熱保持性のある高分子ポリマー繊維、及び繊維を綿状に加工したものの、表に吸水、紫外線抑止加工繊維を、裏面に吸水及び防水加工繊維を多層に組み合わせ，幾何模様キルティングを施す。
【請求項３】
本カバーのズレ防止と加水時及び走行時の偏りを防止と装着の安易性のため、本カバーとドラム面を、本考案のオペロンゴムベルト及びゴムベルトによる固定
【考案の詳細な説明】
【技術分野】
【０００１】本考案は、生コンクリートを運搬するミキサー車ドラム部分に気化熱を利用する冷却保温断熱機能が付いたカバーに関するものである。
【背景技術】
【０００２】ミキサー車ドラムは運搬中の温度上昇に伴ってドラム内部の生コンクリートの凝固反応が促進されるため、運搬時間を通常季９０分、夏季６０分と規定が定められていたが、当該考案の属する技術分野には、ミキサー車のドラム部分には、カバーは未装着、または、冬季にドラム内部凍結防止のための保温・保護カバーが存在していたが、積極的に気化熱を利用し、ドラム内外面温度上昇を積極的に抑える考案は存在していなかった。
【考案の開示】
【考案が解決しようとする課題】
【０００３】ミキサー車の生コンクリート運搬中において、外気温度、太陽熱線、ドラム内生コンクリート撹拌用ブレード回転による内部摩擦熱と、ミキサー車のドラム温度上昇によって、ドラム内積載中の生コンクリートの凝固反応が促進されるのを軽減する。
【考案を解決するための手段】
【０００４】吸水保温断熱保持性のある高分子ポリマー繊維、及び繊維を綿状に加工を間に組み合わせた布生地を利用した本考案のドラムカバーに夏期は、水を含ませることにより、気化熱（蒸発熱）およびミキサー車が移動の際に伴う走行時に得られる気化熱（蒸発熱）を増大させる走行風を利用し、積極的にドラム外面温度を低下させることによって、ドラム内面に積載されている生コンクリートの温度上昇を押さえ、生コンクリートの凝固反応を遅らせ、品質低下変化の防止をする。夏期以外は、本カバーに加水なく使用する。
【考案の効果】
【０００５】ミキサー車のドラム部分に保水保温断熱性を持ったカバーで覆うことにより、外気・太陽熱線の影響を受けにくくし、繊維および生地に含まれる水分が蒸発される際の気化熱により、夏期は、カバーに密着しているドラム部分の温度を低下させる。夏期以外は、保温断熱効果を促進する。
【考案の実施するための最良の形態】
【０００６】本考案のカバーをミキサー車ドラム部分にドラム上部より被せ、カバーが前後にずれないように本考案のカバー前後方向の端部にあるロープをかける。本カバーのドラムとの接着面は、オペロンゴムベルト及びゴムベルトに加工のハトメをロープで固定し装着の安易性とズレ防止になる。また、カバー繊維部分の吸水・蒸発によるカバー体積の変化でカバーとドラムの密着性が緩むのを防止するため、カバー上下の端部にあるハトメ（丸い金具）に互いにロープを結んでいく。
ドラム部分に本考案のカバーを設置したところで、夏期は気化熱を発生させるためにカバー全体に放水し、吸水させる。夏期以外は加水なく使用する。
【図面の簡単な説明】
【０００７】
【図１】本考案の実施例を示す詳細図である。
【図２】本考案の３面図である。
【図１】
0003152102.tif 000003
【図２】
0003152102.tif 000004
【手続補正書】
【提出日】平成20年4月11日(2008.4.11)
【手続補正１】
【補正対象書類名】実用新案登録請求の範囲
【補正対象項目名】全文
【補正方法】変更
【補正の内容】
【実用新案登録請求の範囲】
【請求項１】
紫外線抑止加工繊維（表）と吸水、防水加工繊維（裏）で吸水保温断熱保持性のある高分子ポリマー繊維及び繊維を綿状に加工したものをはさんだ多層構造のミキサー車ドラム冷却保温断熱機能付カバー。
【請求項２】
水分偏り防止のため、幾何模様にキルティングを施す事を特徴とする請求項１記載のミキサー車ドラム冷却保温断熱機能付カバー。
【請求項３】
カバーずれ防止及び装着の安易性をはかり、オペロンゴムベルト、ゴムベルトによる固定を特徴とする請求項１、請求項２記載のミキサー車ドラム冷却保温断熱機能付カバー。
【手続補正２】
【補正対象書類名】明細書
【補正対象項目名】全文
【補正方法】変更
【補正の内容】
【考案の詳細な説明】
【考案の詳細な説明】
ミキサー車ドラム冷却保温断熱機能付カバーに吸水した水分が太陽熱、外気で蒸発するときに発生する気化熱で夏期はドラム内外の温度低下させる機能をもつカバー。夏期以外は加水無く使用で保温断熱効果を促進する。
【技術分野】
【０００１】本考案は、生コンクリートを運搬するミキサー車ドラム部分に気化熱を利用する冷却保温断熱機能が付いたカバーに関するものである。
【背景技術】
【０００２】ミキサー車ドラムは運搬中の温度上昇に伴ってドラム内部の生コンクリートの凝固反応が促進されるため、運搬時間を通常季９０分、夏季６０分と規定が定められていたが、当該考案の属する技術分野には、ミキサー車のドラム部分には、カバーは未装着、または、冬季にドラム内部凍結防止のための保温・保護カバーが存在していたが、積極的に気化熱を利用し、ドラム内外面温度上昇を積極的に抑える考案は存在していなかった。
【考案の開示】
【考案が解決しようとする課題】
【０００３】ミキサー車の生コンクリート運搬中において、外気温度、太陽熱線、ドラム内生コンクリート撹拌用ブレード回転による内部摩擦熱と、ミキサー車のドラム温度上昇によって、ドラム内積載中の生コンクリートの凝固反応が促進されるのを軽減する。
【考案を解決するための手段】
【０００４】吸水保温断熱保持性のある高分子ポリマー繊維、及び繊維を綿状に加工を間に組み合わせた布生地を利用した本考案のドラムカバーに夏期は、水を含ませることにより、気化熱（蒸発熱）およびミキサー車が移動の際に伴う走行時に得られる気化熱（蒸発熱）を増大させる走行風を利用し、積極的にドラム外面温度を低下させることによって、ドラム内面に積載されている生コンクリートの温度上昇を押さえ、生コンクリートの凝固反応を遅らせ、品質低下変化の防止をする。夏期以外は、本カバーに加水なく使用する。
【考案の効果】
【０００５】ミキサー車のドラム部分に保水保温断熱性を持ったカバーで覆うことにより、外気・太陽熱線の影響を受けにくくし、繊維および生地に含まれる水分が蒸発される際の気化熱により、夏期は、カバーに密着しているドラム部分の温度を低下させる。夏期以外は、保温断熱効果を促進する。
【考案の実施するための最良の形態】
【０００６】本考案のカバーをミキサー車ドラム部分にドラム上部より被せ、カバーが前後にずれないように本考案のカバー前後方向の端部にあるロープをかける。本カバーのドラムとの接着面は、オペロンゴムベルト及びゴムベルトに加工のハトメをロープで固定し装着の安易性とズレ防止になる。また、カバー繊維部分の吸水・蒸発によるカバー体積の変化でカバーとドラムの密着性が緩むのを防止するため、カバー上下の端部にあるハトメ（丸い金具）に互いにロープを結んでいく。
ドラム部分に本考案のカバーを設置したところで、夏期は気化熱を発生させるためにカバー全体に放水し、吸水させる。夏期以外は加水なく使用する。
【図面の簡単な説明】
【０００７】
【図１】本考案の実施例を示す詳細図である。
【図２】本考案の３面図である。
【手続補正書】
【提出日】平成20年8月10日(2008.8.10)
【手続補正１】
【補正対象書類名】実用新案登録請求の範囲
【補正対象項目名】全文
【補正方法】変更
【補正の内容】
【実用新案登録請求の範囲】
【請求項１】
表面の紫外線抑止加工繊維と吸水、裏面の防水加工繊維で吸水保温断熱保持性のある高分子ポリマー繊維及び繊維を綿状に加工したものをはさんだ多層構造のミキサー車ドラム冷却保温断熱機能付カバー。
【請求項２】
水分偏り防止のため、幾何模様にキルティングを施す事を特徴とする請求項１記載のミキサー車ドラム冷却保温断熱機能付カバー。
【請求項３】
カバーずれ防止及び装着の安易性をはかり、オペロン（登録商標）ゴムベルト、ゴムベルトによる固定を特徴とする請求項１、請求項２記載のミキサー車ドラム冷却保温断熱機能付カバー。
【手続補正書】
【提出日】平成20年8月10日(2008.8.10)
【手続補正１】
【補正対象書類名】図面
【補正対象項目名】図１
【補正方法】変更
【補正の内容】
【図１】
0003152102.tif 000005
【手続補正書】
【提出日】平成20年12月19日(2008.12.19)
【手続補正１】
【補正対象書類名】実用新案登録請求の範囲
【補正対象項目名】全文
【補正方法】変更
【補正の内容】
【実用新案登録請求の範囲】
【請求項１】
表面の紫外線抑止加工繊維と、裏面の吸水・防水加工繊維で吸水保温断熱保持性のある高分子ポリマー繊維及び繊維を綿状に加工したものをはさんだ多層構造のミキサー車ドラム冷却保温断熱機能付カバー。
【請求項２】
水分偏り防止のため、幾何模様にキルティングを施す事を特徴とする請求項１記載のミキサー車ドラム冷却保温断熱機能付カバー。
【請求項３】
カバーずれ防止及び装着の安易性をはかり、オペロン（登録商標）ゴムベルト、ゴムベルトによる固定を特徴とする請求項１及び請求項２記載のミキサー車ドラム冷却保温断熱機能付カバー。
【手続補正書】
【提出日】平成21年4月19日(2009.4.19)
【手続補正１】
【補正対象書類名】実用新案登録請求の範囲
【補正対象項目名】全文
【補正方法】変更
【補正の内容】
【実用新案登録請求の範囲】
【請求項１】
表面の紫外線抑止加工繊維と、裏面の吸水・防水加工繊維で吸水保温断熱保持性のある高分子ポリマー繊維及び繊維を綿状に加工したものをはさんだ多層構造のミキサー車ドラム冷却保温断熱機能付カバー。
【請求項２】
水分偏り防止のため、幾何模様にキルティングを施す事を特徴とする請求項１記載のミキサー車ドラム冷却保温断熱機能付カバー。
【請求項３】
カバーずれ防止及び装着の安易性をはかり、オペロン（登録商標）ゴムベルトまたはゴムベルトによる固定を特徴とする請求項１または２記載のミキサー車ドラム冷却保温断熱機能付カバー。